【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
Ｘ線を発生するＸ線発生部と，被写体を透過後の前記Ｘ線を検出するＸ線検出部と，前記Ｘ線発生部と前記Ｘ線検出部を回転させて計測した前記Ｘ線検出部の検出信号から計測投影データを生成する投影データ計測部と，前記回転計測において、一周分の回転角度のＸ線が計測される完全な計測領域または一部の角度のＸ線が計測される不完全な計測領域に関して，前記計測投影データからＸ線吸収率の分布である第１ＣＴ画像を計算する画像計算部とを有し，
前記画像計算部では，前記被写体の撮影前または後に計測した第２ＣＴ画像を利用して，不完全な計測領域または一部の完全な計測領域に位置する前記第１ＣＴ画像を補正する機能と，前記Ｘ線発生部と前記Ｘ線検出部を結ぶ経路上における前記補正した第１ＣＴ補正画像の積分値として計算投影データを取得する機能と，前記計算投影データの値が計測値と等しくなるように，前記第１ＣＴ補正画像を逐次的に修正することを特徴とするＸ線ＣＴ装置。
【請求項２】
請求項１のＸ線ＣＴ装置において，前記画像計算部は，前記第１ＣＴ補正画像における一部の領域を計算から除外する機能と，前記Ｘ線発生部と前記Ｘ線検出部を結ぶ経路上における前記除外処理した第１ＣＴ除外画像の積分値として第１計算投影データを取得する機能と，前記第１計算投影データの値を計測値から差分して投影データ差分値を作成する機能と，前記Ｘ線発生部と前記Ｘ線検出部を結ぶ経路上における前記一部領域の第１ＣＴ補正画像の積分値として第２計算投影データを取得する機能と，前記第２計算投影データの値が前記投影データ差分値と等しくなるように，前記一部領域の第１ＣＴ補正画像を逐次的に修正する機能を具備することを特徴とするＸ線ＣＴ装置。
【請求項３】
Ｘ線を発生するＸ線発生部と，被写体を透過後の前記Ｘ線を検出するＸ線検出部と，前記Ｘ線発生部と前記Ｘ線検出部を回転させて計測した前記Ｘ線検出部の検出信号から計測投影データを生成する投影データ計測部と，前記回転計測において，一周分の回転角度のＸ線が計測される完全な計測領域または一部の角度のＸ線が計測される不完全な計測領域に関して，前記計測投影データからＸ線吸収率の分布である第１ＣＴ画像を計算する画像計算部とを有し，
前記画像計算部では，前記第１ＣＴ画像の一部領域に前記被写体の撮影前または後に計測した第２ＣＴ画像の一部領域の位置を合わせる機能と，前記Ｘ線発生部と前記Ｘ線検出部を結ぶ経路上における前記位置合わせ処理した第２ＣＴ位置合わせ画像の積分値として第１計算投影データを取得する機能と，前記第１計算投影データの値を計測値から差分して第１投影データ差分値を作成する機能と，前記第１投影データ差分値からＸ線吸収率の分布である第３ＣＴ画像を計算する機能と，前記Ｘ線発生部と前記Ｘ線検出部を結ぶ経路上における前記第３ＣＴ画像の積分値として第２計算投影データを取得する機能と，前記第２計算投影データの値が前記第１投影データ差分値と等しくなるように，前記第３ＣＴ画像を逐次的に修正する機能を具備することを特徴とするＸ線ＣＴ装置。
【請求項４】
請求項３のＸ線ＣＴ装置において，前記画像計算部は，前記第３ＣＴ画像における一部の領域を計算から除外する機能と，前記Ｘ線発生部と前記Ｘ線検出部を結ぶ経路上における前記除外処理した第３ＣＴ除外画像の積分値として第３計算投影データを取得する機能と，前記第３計算投影データの値を前記第１投影データ差分値から差分して第２投影データ差分値を作成する機能と，前記Ｘ線発生部と前記Ｘ線検出部を結ぶ経路上における前記一部領域の第３ＣＴ画像の積分値として第４計算投影データを取得する機能と，前記第４計算投影データの計算値が前記第２投影データ差分値と等しくなるように，前記第３ＣＴ画像を逐次的に修正する機能を具備することを特徴とするＸ線ＣＴ装置。
【請求項５】
請求項１乃至３のいずれかに記載のＸ線ＣＴ装置において，被写体を固定するテーブルと，被写体撮影時のテーブル位置を計測する位置計測部を有し，
前記画像計算部では，前記位置計測部で計測した位置情報を用いて，前記第１ＣＴ画像のテーブル位置に一致するように，前記第２ＣＴ画像から前記第１ＣＴ画像を補正する機能または前記第２ＣＴ画像の位置を合わせる機能を具備することを特徴とするＸ線ＣＴ装置。
【請求項６】
請求項５のＸ線ＣＴ装置において，前記画像計算部では，前記位置計測部で計測した位置情報を用いて，被写体撮影時におけるテーブルの変形量を計算する機能と，前記第１ＣＴ画像のテーブル位置に一致するように，前記テーブルの変形量を利用して前記第２ＣＴ画像から前記第１ＣＴ画像を補正する機能または前記第２ＣＴ画像の位置を合わせる機能を具備することを特徴とするＸ線ＣＴ装置。
【請求項７】
請求項６のＸ線ＣＴ装置において，被写体に応じたテーブルの変形量を保存する変形量保存部を有し，
前記画像計算部では，撮影する被写体に応じて前記変形量保存部から変形量を読み出し，前記第１ＣＴ画像のテーブル位置に一致するように，前記テーブルの変形量を利用して前記第２ＣＴ画像から前記第１ＣＴ画像を補正する機能または前記第２ＣＴ画像の位置を合わせる機能を具備することを特徴とするＸ線ＣＴ装置。
【請求項８】
請求項５乃至７のいずれかに記載のＸ線ＣＴ装置において，前記第１ＣＴ画像におけるテーブル位置と前記第２ＣＴ画像におけるテーブル位置に関して，位置合わせの評価指標である類似度を計算する類似度計算部を有し，
画像計算部では，前記類似度計算部で計算した中から，高い類似度を示す前記第２ＣＴ画像のテーブル位置を算出し，算出したテーブル位置を利用して前記第２ＣＴ画像から前記第１ＣＴ画像を補正する機能または前記第２ＣＴ画像の位置を合わせる機能を具備することを特徴とするＸ線ＣＴ装置。
【請求項９】
請求項５乃至８のいずれかに記載のＸ線ＣＴ装置において，前記画像計算部では，前記第２ＣＴ画像から前記第１ＣＴ画像を補正する機能または前記第２ＣＴ画像の位置を合わせる機能と，前記第１ＣＴ画像のテーブル位置に一致するように，剛体変換または非剛体変換を利用して前記補正した第２ＣＴ補正画像または前記位置合わせした第２ＣＴ位置合わせ画像を変形させる機能を具備することを特徴とするＸ線ＣＴ装置。
【請求項１０】
請求項５乃至９のいずれかに記載のＸ線ＣＴ装置において，前記Ｘ線発生部より複数種類の異なるエネルギースペクトルを有するＸ線を発生させたとき，前記画像計算部より取得した複数種類の異なるエネルギースペクトルのＸ線吸収率分布を保存するＸ線吸収率保存部を有し，
前記画像計算部では，被写体撮影時のＸ線エネルギースペクトルに対応するＸ線吸収率を前記Ｘ線吸収率保存部から読み出し，前記第１ＣＴ画像または２ＣＴ画像のＸ線吸収率を修正する機能と，前記第２ＣＴ修正画像から前記第１ＣＴ修正画像を補正する機能または前記第２ＣＴ修正画像の位置を合わせる機能を具備することを特徴とするＸ線ＣＴ装置。
【請求項１１】
請求項５乃至１０のいずれかに記載のＸ線ＣＴ装置において，前記画像計算部は，前記第１ＣＴ画像の完全な計測領域に位置されるＸ線吸収率を用いて，前記補正した第２ＣＴ補正画像の不完全な計測領域に位置されるＸ線吸収率を修正する機能を具備することを特徴とするＸ線ＣＴ装置。
【請求項１２】
請求項８のＸ線ＣＴ装置において，前記画像計算部は，前記類似度計算部で計算した類似度が閾値に達しない場合，前記補正または位置合わせ処理を適用できないことを表示する機能を具備することを特徴とするＸ線ＣＴ装置。
【請求項１３】
Ｘ線を発生するＸ線発生部と，被写体を透過後の前記Ｘ線を検出するＸ線検出部と，前記Ｘ線発生部と前記Ｘ線検出部を回転させて計測した前記Ｘ線検出部の検出信号から計測投影データを生成する投影データ計測部と，CT画像を計算する画像計算部とを有するX線CT装置を用いたCT画像修整方法において、
前記、画像計算部において、前記被写体の撮影前または後に計測した第２ＣＴ画像を利用して，不完全な計測領域または一部の完全な計測領域に位置する前記第１ＣＴ画像を補正する機能と，前記Ｘ線発生部と前記Ｘ線検出部を結ぶ経路上における前記補正した第１ＣＴ補正画像の積分値として計算投影データを取得する機能と，前記計算投影データの値が計測値と等しくなるように，前記第１ＣＴ補正画像を逐次的に修正することを特徴とするCT画像修整方法。